(57)【要約】【課題】  予め用意した顔写真を顔撮影用のカメラに撮影させることによって顔認証システムが欺かれてしまうことを防止する。  【解決手段】  （１）顔を撮影するための第１のカメラ１０１と、（２）第１のカメラ１０１が撮影する顔を別の角度から撮影するための第２のカメラ１０４と、（３）第１のカメラ１０１によって撮影された第１の顔画像データと第２のカメラ１０４によって撮影された第２の顔画像データとを比較する比較手段１０７と、（４）比較手段１０７の比較結果に基づいて第１の顔画像データと第２の顔画像データとが同一の顔を撮影して得られた顔画像データであるかを判定する判定手段１１１とを備える。【選択図】    図１
2006221377.tif 000002
【特許請求の範囲】
【請求項１】
顔を撮影するための第１のカメラと、
前記第１のカメラが撮影する顔を別の角度から撮影するための第２のカメラと、
前記第１のカメラによって撮影された第１の顔画像データと前記第２のカメラによって撮影された第２の顔画像データとを比較する比較手段と、
前記比較手段の比較結果に基づいて前記第１の顔画像データと前記第２の顔画像データとが同一の顔を撮影して得られた顔画像データであるかを判定する判定手段とを備えることを特徴とする顔認証システム。
【請求項２】
カードからＩＤを読み取るカード読み取り手段と、
前記ＩＤと第３の顔画像データとを関連づけて予め記憶する顔画像データ記憶手段と、
前記判定手段が前記第１の顔画像データと前記第２の顔画像データとが同一の顔を撮影して得られた顔画像データであると判定した場合に、前記顔画像データ記憶手段に記憶されている顔画像データの中から前記ＩＤに関連づけて記憶されている前記第３の顔画像データを検索するデータ検索手段とをさらに備え、
前記比較手段は、前記第１又は前記第２の顔画像データと前記第３の顔画像データとをさらに比較し、
前記判定手段は、前記第１又は前記第２の顔画像データと前記第３の顔画像データとが同一の顔を撮影して得られた顔画像データであるかをさらに判定することを特徴とする請求項１に記載の顔認証システム。
【請求項３】
前記第１の顔画像データ又は前記第２の顔画像データを、前記カード読み取り手段が設けられている端末の操作用タッチパネルとして機能する表示画面に出力することを特徴とする請求項１又は２に記載の顔認証システム。
【請求項４】
第１のカメラは、顔を撮影し、
第２のカメラは、前記第１のカメラが撮影する顔を別の角度から撮影し、
比較手段は、前記第１のカメラによって撮影された第１の顔画像データと前記第２のカメラによって撮影された第２の顔画像データとを比較し、
判定手段は、前記比較手段の比較結果に基づいて前記第１の顔画像データと前記第２の顔画像データとが同一の顔を撮影して得られた顔画像データであるかを判定することを特徴とする顔認証方法。
【請求項５】
カード読み取り手段は、カードからＩＤを読み取り、
顔画像データ記憶手段は、前記ＩＤと第３の顔画像データとを関連づけて予め記憶し、
データ検索手段は、前記判定手段が前記第１の顔画像データと前記第２の顔画像データとが同一の顔を撮影して得られた顔画像データであると判定した場合に、前記顔画像データ記憶手段に記憶されている顔画像データの中から前記ＩＤに関連づけて記憶されている前記第３の顔画像データを検索し、
前記比較手段は、前記第１又は前記第２の顔画像データと前記第３の顔画像データとをさらに比較し、
前記判定手段は、前記第１又は前記第２の顔画像データと前記第３の顔画像データとが同一の顔を撮影して得られた顔画像データであるかをさらに判定することを特徴とする請求項４に記載の顔認証方法。
【発明の詳細な説明】
【技術分野】
【０００１】
本発明は、監視カメラを用いてＡＴＭなどの端末の不正操作を防止するために操作者の顔認証を行うシステム及び方法に関する。
【背景技術】
【０００２】
従来、端末の不正操作を防止するシステムとして、監視カメラで撮像した操作者の顔画像データをサーバに予め記憶されている顔画像データと照合して、認証する技術が開示されている（例えば、特許文献１参照）。
【特許文献１】特開２００４−２６５２３１号公報
【発明の開示】
【発明が解決しようとする課題】
【０００３】
しかし、既に開示されている技術は、一つのカメラで撮像しているため、もし仮に正規ユーザの実物大の顔写真をカメラのレンズの前に置かれてしまうと、カメラはこの写真を撮影して得られた顔画像データと予め記憶されている顔画像データとを照合して、認証ＯＫの判断をしてしまうという問題がある。
【課題を解決するための手段】
【０００４】
本発明の第１の特徴は、（１）顔を撮影するための第１のカメラと、（２）第１のカメラが撮影する顔を別の角度から撮影するための第２のカメラと、（３）第１のカメラによって撮影された第１の顔画像データと第２のカメラによって撮影された第２の顔画像データとを比較する比較手段と、（４）比較手段の比較結果に基づいて第１の顔画像データと第２の顔画像データとが同一の顔を撮影して得られた顔画像データであるかを判定する判定手段とを備えることにある。
【０００５】
本発明の第２の特徴は、（１）カードからＩＤを読み取るカード読み取り手段と、（２）ＩＤと第３の顔画像データとを関連づけて予め記憶する顔画像データ記憶手段と、（３）判定手段が第１の顔画像データと第２の顔画像データとが同一の顔を撮影して得られた顔画像データであると判定した場合に、顔画像データ記憶手段に記憶されている顔画像データの中からＩＤに関連づけて記憶されている第３の顔画像データを検索するデータ検索手段とをさらに備え、（４）比較手段は、第１又は第２の顔画像データと第３の顔画像データとをさらに比較し、（５）判定手段は、第１又は第２の顔画像データと第３の顔画像データとが同一の顔を撮影して得られた顔画像データであるかをさらに判定することにある。
【発明の効果】
【０００６】
本発明の第１の特徴によれば、第１のカメラのレンズ前にだけ写真が置かれたとしても、第１のカメラによって撮影された顔画像と第２のカメラによって撮影された顔画像とが異なるため、顔認証システムが騙されて認証ＯＫとしてしまうことはない。第２のカメラのレンズ前にだけ写真が置かれた場合も同様に、顔認証システムが騙されることはない。
【０００７】
また、第１のカメラによって撮影される顔画像と第２のカメラによって撮影される顔画像とは撮影角度が異ならなければならない。このため、仮に第１のカメラのレンズ前と第２のカメラのレンズ前の両方に同一の写真が置かれた場合であっても、撮影された顔の角度が同じになってしまうため、顔認証システムが騙されることはない。
【０００８】
本発明の第２の特徴によれば、仮にカードを不正に入手した者がそのカードを端末に挿入したとしてもカードから読み取られたＩＤに基づいて検索された第３の顔画像データと第１又は第２の顔画像データとが異なるため顔認証システムが認証ＯＫという結果を出力することはない。
【発明を実施するための最良の形態】
【０００９】
以下に図面に基づいて、本発明を実施するための最良の形態を説明する。なお、以下の説明は、単なる例示に過ぎず、本発明の技術的範囲は以下の説明に限定されるものではない。
【００１０】
図１は、認証システムを構成する店舗装置及びセンター装置の内部構成を示す概略図である。図１に示すように、店舗装置１００は、第１のカメラ１０１、第１のＡ／Ｄ変換部１０２、第１の画像メモリ１０３、第２のカメラ１０４、第２のＡ／Ｄ変換部１０５、第２の画像メモリ１０６、比較手段１０７、カード読み取り手段１０８、データ送受信手段１０９、制御手段１１０、判定手段１１１、バス１１２を備える。第１のカメラ１０１等は、制御手段１１０の制御の下で後述する各機能を発揮する。
【００１１】
図２は、店舗装置の外観構成を示す概略図である。図２に示すように、第１のカメラ１０１はＡＴＭなどの端末１２０を操作する操作者１３０の顔を斜め上から撮影し、第２のカメラ１０４は操作者１３０の顔を斜め下から撮影する。
【００１２】
第１のカメラ１０１は、操作者１３０の顔を撮影し、その映像のアナログ信号を出力する。第１のＡ／Ｄ変換部１０２は、第１のカメラ１０１が出力したアナログ信号を取り込んでデジタル信号からなる第１の顔画像データに変換する。変換された第１の顔画像データは、第１の画像メモリ１０３に蓄えられる。
【００１３】
同様に、第２のカメラ１０４も、操作者１３０の顔を撮影し、その映像のアナログ信号を出力する。第２のＡ／Ｄ変換部１０５は、第２のカメラ１０４が出力したアナログ信号を取り込んでデジタル信号からなる第２の顔画像データに変換する。変換された第２の顔画像データは、第２の画像メモリ１０６に蓄えられる。
【００１４】
比較手段１０７は、第１の顔画像データと第２の顔画像データとを比較する。第１のカメラ１０１の設置位置と第２のカメラ１０４の設置位置が異なるため、第１のカメラ１０１と第２のカメラ１０４の双方が同一の操作者１３０を撮影したとしても、第１の顔画像データと第２の顔画像データとは同一ではない。このため比較手段１０７は第１の顔画像データと第２の顔画像データとがどの程度、同一性を有するかを示す同一度を出力する。例えば第１の顔画像データは斜め上から撮影した顔の画像データとなり、一方第２の顔画像データは斜め下から撮影した顔の画像データとなる。このため比較手段１０７はかかる撮影角度の違いに起因する顔画像データの違いを補正した上で２つの顔画像データを比較し、同一度を出力する。
【００１５】
判定手段１１１は、比較手段１０７から出力された同一度に基づいて第１の顔画像データと第２の顔画像データとが同一の操作者１３０を撮影して得られたデータであるかを判定する。
【００１６】
カード読み取り手段１０８は、操作者１３０が端末１２０に挿入したカード（図示せず）からＩＤを読み取ることができる。
【００１７】
判定手段１１１が第１の顔画像データと第２の顔画像データとが同一の操作者１３０を撮影して得られたデータであると判定した場合に、データ送受信手段１０９はカード読み取り手段１０８が読み取ったＩＤを専用線１０を介してセンター装置２００へ送信する。
【００１８】
センター装置２００は、データ送受信手段２０１、データ検索手段２０２、顔画像データ記憶手段２０３、制御手段２０４、バス２０５を備える。データ送受信手段２０１、データ検索手段２０２、顔画像データ記憶手段２０３は、制御手段２０４の制御の下で後述する各機能を発揮する。
【００１９】
データ送受信手段２０１は店舗端末１００から送信されたＩＤを受信し、また当該ＩＤに対応する顔画像データを店舗端末１００へ送信する。顔画像データ記憶手段２０３は、顧客の顔を撮影したデータを当該顧客に割り当てられているＩＤと関連づけて予め記憶する。
【００２０】
データ検索手段２０２は、ＩＤを検索キーとしてＩＤに関連づけられている顔画像データを検索する。
【００２１】
図３は、店舗装置及びセンター装置における処理の一例を示すフローチャートである。図３に示すように、まず端末１２０を操作している操作者１３０の顔を第１のカメラ１０１を用いて撮影して第１の顔画像データを得て（ステップＳ１１１）、同時に第２のカメラでも同じ操作者１３０の顔を別角度から撮影して第２の顔画像データを得る（ステップＳ１１２）。そして、比較手段１０７を用いて第１の顔画像データと第２の顔画像データとを比較して、両データの同一度を数値化として出力する（ステップＳ１１３）。比較手段１０７から出力された同一度が、予め設定されている閾値以上である場合（ステップＳ１１４でＹＥＳの場合）は、センター装置２００内の顔画像データ記憶手段２０３に記憶されている顔画像データの送信をセンター装置２００へ要求する（ステップＳ１１５）。
【００２２】
センター装置２００では、顔画像データの送信要求と共に送られてきたＩＤに関連づけられて記憶されている顔画像データを検索し（ステップＳ１２１）、ＩＤに対応する顔画像データを探し出したらその顔画像データを店舗装置１００へ送信する（ステップＳ１２２）。
【００２３】
店舗装置１００は、センター装置２００から第３の顔画像データを受信したら（ステップＳ１３１）、第１又は第２の顔画像データと第３の顔画像データとを比較し（ステップＳ１３２）、第１の顔画像データと第３の顔画像データとの同一度又は第２の顔画像データと第３の顔画像データとの同一度が閾値以上である場合（ステップＳ１３３でＹＥＳの場合）、認証ＯＫと判断される。この後、操作者１３０が端末１２０の数字入力手段（図示せず）を用いて適切な暗証番号を入力したら、預貯金の引き出しなどが可能となる。
【００２４】
上記の如く、本実施の形態によれば、第１のカメラ１０１のレンズ前にだけ写真が置かれたとしても、第１のカメラ１０１によって撮影された顔画像と第２のカメラ１０４によって撮影された顔画像とが異なるため、顔認証システムが騙されることはない。
【００２５】
また、第１のカメラ１０１によって撮影される顔画像と第２のカメラ１０４によって撮影される顔画像とは撮影角度が異ならなければならない。このため、仮に第１のカメラ１０１のレンズ前と第２のカメラ１０４のレンズ前の両方に同一の写真が置かれた場合であっても、撮影された顔の角度が同じになってしまうため、顔認証システムが騙されることはない。
【００２６】
さらに、仮にカードを不正に入手した者がそのカードを端末に挿入したとしてもカードから読み取られたＩＤに基づいて検索された第３の顔画像データと第１又は第２の顔画像データとが異なるため顔認証システムが騙されることはない。
【００２７】
なお、前述の実施の形態においては、２つのカメラを使用したが、カメラの台数は２つに限定されず、３つ以上のカメラを用いて撮影された顔画像データを相互に比較する場合も含む。
【００２８】
また、前述の実施の形態においては、第１のカメラ１０１と第２のカメラ１０４との相対的な位置関係は上下、つまり高さが異なるものであったが、複数のカメラの相対的な位置関係は上下に限定されない。例えば、第１のカメラと第２のカメラの高さが同じであるが、第１のカメラが操作者１３０の左斜め前方に設置され、第２のカメラが右斜め前方に設置される場合も含む。
【００２９】
さらに、複数のカメラの少なくとも１つによって撮影された顔画像データを端末１２０の操作用タッチパネル（図示せず）に出力されることが好ましい。操作用タッチパネルに顔画像が写し出されることによって、操作者１３０に撮影されていること、すなわち監視されていることを知らしめることができ、不正行為を行うことに対する心理的な圧力を操作者にかけることが期待できる。
【図面の簡単な説明】
【００３０】
【図１】認証システムを構成する店舗装置及びセンター装置の内部構成を示す概略図である。
【図２】店舗装置の外観構成を示す概略図である。
【図３】店舗装置及びセンター装置における処理の一例を示すフローチャートである。
【符号の説明】
【００３１】
１０１…第１のカメラ  １０２…第１のＡ／Ｄ変換部  １０３…第１の画像メモリ
１０４…第２のカメラ  １０５…第２のＡ／Ｄ変換部  １０６…第２の画像メモリ
１０７…比較手段      １０８…カード読み取り手段  １０９…データ送受信手段
１１０…制御手段      １１１…判定手段
２０１…データ送受信手段  ２０２…データ検索手段
２０３…顔画像データ記憶手段  ２０４…制御手段
【図１】
2006221377.tif 000003
【図２】
2006221377.tif 000004
【図３】
2006221377.tif 000005